(57)【要約】【課題】締付具をねじ込むことにより取付面に取付固定された給水栓本体が、取付後にも、ウォーターハンマや給水栓本体のハンドル操作による応力などの影響を受けず確実に取付面に固定されるようにすること。【解決手段】取付面に開口された取付穴に挿通取付される給水栓本体２の下部から突設されたボルト６に螺合されて、給水栓本体２の下部と協働して取付面を狭持する締付具３２により、給水栓本体２を取付面に取り付ける水栓取付構造３０であって、締付具３２に、給水栓本体２に接続する給水ホース９又は給湯ホース１０に係止されて締付具３２の回転を規制する取っ手４０を設けた。【選択図】    図１
2004360182.tif 000002
【特許請求の範囲】
【請求項１】
キッチンのカウンターや洗面台のデッキ面などの取付面に開口された取付穴に挿通取付される給水栓本体の下部から突設されたボルトに螺合されて、前記給水栓本体の下部と協働して前記取付面を狭持する締付具により、前記給水栓本体を前記取付面に取り付ける水栓取付構造であって、
前記締付具に、前記給水栓本体に接続する給水配管又は給湯配管に係止されて前記締付具の回転を規制する係止部を設けたことを特徴とする水栓取付構造。
【請求項２】
キッチンのカウンターや洗面台のデッキ面などの取付面に開口された取付穴に挿通取付される給水栓本体の下部から突設されたボルトに螺合されて、前記給水栓本体の下部と協働して前記取付面を狭持する締付具により、前記給水栓本体を前記取付面に取り付ける水栓取付構造であって、
前記締付具が、外周面に凹部または凸部が形成されるとともにボルトに螺合されるナットと、ナットに係止されて装着されるとともに前記給水栓本体に接続する給水配管又は給湯配管に係止されて前記締付具の回転を規制する係止部が形成された係止部材とからなることを特徴とする水栓取付構造。
【請求項３】
前記係止部が、前記締付具に取り付けられた締め付け用の取っ手であるとともに、該取っ手の姿勢を給水配管又は給湯配管に係止されるように保持する姿勢保持手段を設けたことを特徴とする請求項１に記載の水栓取付構造。
【発明の詳細な説明】
【０００１】
【発明の属する技術分野】
本発明は、キッチンのカウンターや洗面台のデッキ面などの取付面に開口された取付穴に挿通取付される水栓本体の下部から突設されたボルトに螺合されて、水栓本体の下部と協働して取付面を狭持する締付具により、水栓本体を取付面に取り付ける水栓取付構造に関する。
【０００２】
【従来の技術】
従来、キッチンのカウンターや洗面台のデッキ面などの取付面に開口された取付穴にその一部が挿通され取付面裏側に引き回された配管類が接続されるとともに、取付面に取付固定される種々の給水栓が知られている。このような給水栓では、給水栓本体の下部から突設されたボルトに取付面の裏側から締付具を螺合して、この締付具と給水栓本体の下部とで協働して取付面を狭持することにより、水栓本体を取付面に取り付ける水栓取付構造が用いられている。より具体的には、例えば、給水栓本体の下部から突設されたボルトに、取付穴の内径よりも長い馬蹄形状の座金を介在させて、締付具（ナット）をねじ込み、締付具により圧着される座金と給水栓本体の下部とによって取付面を狭持することにより給水栓本体を取付面に取付固定するものがある（例えば、特許文献１参照。）。
【０００３】
【特許文献１】
特開平８−２４６５２１号公報（図１）。
【０００４】
【発明が解決しようとする課題】
この従来の水栓取付構造では、締付具によって給水栓本体を取付面に取り付けた後に、ウォーターハンマや給水栓本体のハンドル操作による応力によって締付具のねじが徐々に緩み、給水栓本体ががたつきを生じるなど給水栓本体の取付が不完全となるという問題があった。締付具は取付面裏側から締め付けられているために、ユーザ自身が増し締めなどを行うことは困難であるため専門業者に作業を依頼する必要があるなど特に問題となっていた。
【０００５】
本発明は上記した従来の給水栓の問題点を解消するものであり、締付具をねじ込むことにより取付面に取付固定された給水栓本体が、取付後にも、ウォーターハンマや給水栓本体のハンドル操作による応力などの影響を受けず確実に取付面に固定されるようにする水栓取付構造を提供することを目的とする。
【０００６】
【課題を解決するための手段】
以上の課題を解決するために、本発明の採った手段を以下に説明する。本発明の水栓取付構造は、「キッチンのカウンターや洗面台のデッキ面などの取付面に開口された取付穴に挿通取付される給水栓本体の下部から突設されたボルトに螺合されて、前記給水栓本体の下部と協働して前記取付面を狭持する締付具により、前記給水栓本体を前記取付面に取り付ける水栓取付構造であって、前記締付具に、前記給水栓本体に接続する給水配管又は給湯配管に係止されて前記締付具の回転を規制する係止部を設けたことを特徴とする水栓取付構造。」（請求項１）である。
【０００７】
給水栓本体を取付固定するために給水栓本体に突設されたボルトにねじ込まれる締付具に、この締付具の回転を規制する係止部を設けることによって、給水栓の取付後にウォーターハンマや給水栓本体のハンドル操作による応力などの影響によって、ねじ込まれた締付具が緩まないように構成されている。係止部は前記給水栓本体に接続する給水配管又は給湯配管により係止されるように構成されており、給水配管及び給湯配管が接続される湯水混合水栓に適用可能であるほか、一方の配管のみが接続される単水栓などにも適用することができる。また、給水配管や給湯配管を利用することにより、係止部を係止するための別途の部材を必要としないので、締付具の回転規制を安価・簡便に実現できる。締付具の回転を規制する係止部は、締付具と一体又は別体に形成されることを問わず、種々の部材を含むものである。
【０００８】
また、本発明の水栓取付構造は、「キッチンのカウンターや洗面台のデッキ面などの取付面に開口された取付穴に挿通取付される給水栓本体の下部から突設されたボルトに螺合されて、前記給水栓本体の下部と協働して前記取付面を狭持する締付具により、前記給水栓本体を前記取付面に取り付ける水栓取付構造であって、
前記締付具が、外周面に凹部または凸部が形成されるとともにボルトに螺合されるナットと、ナットに係止されて装着されるとともに前記給水栓本体に接続する給水配管又は給湯配管に係止されて前記締付具の回転を規制する係止部が形成された係止部材とからなることを特徴とする水栓取付構造。」とすることもできる（請求項２）。
【０００９】
このように、ナットと、これに係止されて装着される係止部材とを用いることにより、簡便に回転規制を実現できる水栓取付構造を提供することができる。具体的には、例えば、六角ナットと、この外周面にはめ込まれてナットの周方向に回転不能に取り付けられる係止部材を設け、この係止部材に係止部を突設するものなどを例示することができる。
【００１０】
また、上記した水栓取付構造において、係止部を、締付具に取り付けられた締め付け用の取っ手とするとともに、この取っ手の姿勢を給水配管又は給湯配管に係止されるように保持する姿勢保持手段を設けることとすることもできる（請求項３）。
【００１１】
従来、上記したような締付具には、取付面裏側の狭い作業空間においても締付具を容易に回転させられるようにするために取っ手が取り付けられているものがある。この取っ手は、ねじ込み作業時には給水配管や給湯配管に干渉されないような向きや位置とすることができるように設けられているが、この取っ手を給水配管や給湯配管に干渉される向きや位置に姿勢保持できる手段を設けることにより、上記した「係止部」として用いることができる。よって、従来の取っ手が取り付けられた締付具を流用して、締付具のゆるみのおそれのない水栓取付構造を安価・簡便に実現することができる。「姿勢保持手段」としては、取っ手の向き等の変更を制限する突起などを例示することができるが、姿勢を保持できる総ての手段を含むものである。
【００１２】
【発明の実施の形態】
次に、本発明の水栓取付構造の実施の形態を図を参考にして詳細に説明する。図１に示すように、本水栓取付構造３０は、洗面台のデッキ面（図示省略）などの取付面に湯水混合水栓１の給水栓本体２を取付固定するものである。給水栓本体２は略円筒状の全体形状に形成されており、その上部には湯・水を混合し、吐止水及び吐水量調節を行うための操作ハンドル（図示省略）が取り付けられている。また、給水栓本体２の側面からは、吐水を吐出する吐水口３が斜め上方に突設されている。そして、給水栓本体２の下部には、本体部４よりも小径に形成され、取付面に開口された取付穴（図示省略）に挿通可能な挿通部５が設けられている。一方、本体部４は取付穴よりも大径に形成されており、給水栓本体２にのうち挿通部５のみが取付穴に挿通可能となるように形成されている。
【００１３】
挿通部５からは、後述する締付具３２がねじ込まれるボルト６が下方に向けて突設されている。また、挿通部５からはボルト６と平行に、給水サプライ管７及び給湯サプライ管８が併設して突設されている。これらの給水サプライ管、給湯サプライ管には、給水ホース９、給湯ホース１０が接続されている。
【００１４】
締付具３２は、いわゆる「迅速取付ナット」と呼ばれる公知の締付具の一種であり、図示は省略するが、その内部に、弾性体により付勢された可動式のねじ駒が設けられており、ボルト６の所望の締め付け位置まではねじ駒を拡開させながらねじ込み動作なしに挿入でき、その後さらにねじ込むとねじ駒が縮閉方向に戻り、ボルト６とかみ合って締め付けることができるものである。締付具３２の上部には、取付面の取付穴よりも大径となる馬蹄形状の座金３４が取り付けられている。座金３４にはボルト６が挿通される挿通孔（図示省略）が穿設されており、この挿通孔にボルト６を挿通させた状態で、締付具３２を給水栓本体２方向に向かって締め付けることにより、この座金３４と給水栓本体２の本体部４とが協働して取付面を狭持し、給水栓本体２が取付面に固定されることとなる。また、座金３４の湾曲部の両腕部３６の内側に、上記した給水サプライ管７及び給湯サプライ管８が抱え込まれるように挿通されている。
【００１５】
締付具３２の本体部３８内には、上記したように、その内部にねじ駒が設けられ、ボルト６がその内部に挿通可能に設けられている。本体部３８は、ボルト６にねじ込んだ際に、ボルト６の先端がその挿通方向の途中に止まる長さに設けられている。そして本体部３８の下部には、この締付具３２をねじ込む際に、これを把持してねじ込み作業を容易に行えるようにするために取り付けられた取っ手４０が設けられている。後述するように、この取っ手４０が本発明にいう「係止部」を構成している。
【００１６】
本体部３８の下部には、図２に示すようにスリット４２が形成されており、このスリット４２内に横架されたピン４４に軸支されて、図１及び図３に示すＢ矢印方向に揺動可能に取っ手４０が取り付けられている。取っ手４０は、全体が略長円状の薄板状に形成されており、内側の長円孔４１内にピン４４が挿通されることにより本体部３８に取り付けられている。取っ手４０の厚みは図２に示すように、スリット４２の幅よりも僅かに薄く設けられている。一方、スリット４２内部の内壁面４６には、ピン４４を挟んで、本体部３８の長手方向とほぼ直角の方向に２箇所、対向する突起４８が２つずつ、計４つの突起４８が設けられている。この対向する突起４８の間隔は、図２に示すように、取っ手４０の厚みよりも僅かに小さくなるように設けられており、図３に示すように、この対向する突起４８間に取っ手４０が圧入可能となるように設けられている。一方、この対向する突起４８を設けることにより、図１及び図３に示すＢ矢印方向に所定以上の力を加えなければ、突起４８を乗り越えて取っ手４０がピン４４を支点にしてＢ矢印方向に揺動されないように設けられている。なお、この突起４８の間隔は、突起４８や本体部３８、取っ手４０の材質によって所定以上の力を加えて取っ手４０が揺動可能となるように、適宜の幅に形成すればよい。
【００１７】
このようにして構成された水栓取付構造３０を用いて給水栓本体２を取付面に取付固定するには、以下のような作業を行う。まず、取付面裏側に引き回された給水ホース９、給湯ホース１０を取付穴から取付面上方に引き出して、給水サプライ管７、給湯サプライ管８にそれぞれ接続する。次いで、給水栓本体２の挿通部５を取付穴に挿通して、本体部４を取付面上に載置する。次いで、取付面裏側から、座金３４を取り付けた締付具３２に座金３４ともどもボルト６を挿通して上方にスライドさせる。座金３４が取付面裏側までスライドされた後に、図１及び図３に示すように、Ａ矢印回りに締付具３２をボルト６にねじ込み、座金３４を取付面裏側に圧着させる。このねじ込み作業の際には、締付具３２の本体部３８ではなく、この取っ手４０を捻ることにより容易にねじ込み作業を行うように設けられているが、図１及び図３に二点鎖線図で示すように、取っ手４０をボルト６の突設方向にほぼ沿うように位置させておくことにより、ねじ込み作業の際に取っ手４０が給水ホース９や給湯ホース１０に干渉しないようにすることができる。
【００１８】
そして、座金３４が取付面に充分に圧着されて給水栓本体２が取付面に完全に固定されるまで締付具３２をボルト６にねじ込んだ後、図１及び図３に実線図で示すように、取っ手４０の長手方向をほぼ水平状態となるまでＢ矢印方向に位置させ、給水ホース９と給湯ホース１０との間に挿嵌して係止させる。このように取っ手４０を係止させることにより、締付具３２の本体部３８はボルト６に対して回動しないので、締付具３２が緩むおそれがない。
【００１９】
ここで、図２及び図３に示すように、取っ手４０がほぼ水平状態（取っ手４０の長手方向が本体部３８の長手方向に対してほぼ直角方向となる状態）では、突起４８が長円孔４１内に位置することになり、突起４８に係止されて取っ手４０の水平状態が保持される。よって、給水栓本体２の取付後に、ウォーターハンマや操作ハンドルの操作による応力などによって取っ手４０の長手方向が下方に向いてしまうおそれはほとんどなく、したがって、取っ手４０は常に給水ホース９又は給湯ホース１０によって係止されることになる。なお、突起４８は、ピン４４を挟んで両側に２つずつ設けたが、一方の側の対向する突起４８一組とピン４４とにより上記したように取っ手４０の姿勢保持を行うこともできる。また、「迅速取付ナット」に限らず、通常の締付具に適用することも当然ながら可能である。
【００２０】
また、締付具は上記したものに限られない。例えば、図４に示す締付具５０では、ピン５２のみを長円孔４１内に挿通させることとしているが、図４（ｂ）に示すように、ピン５２が長円孔４１の端部に位置しない場合には、取っ手４０の長手方向端部がスリット４２の奥端壁部４９に当接して取っ手４０が下方に揺動しないように奥端壁部４９と取っ手４０の間隔を設けることにより、取っ手４０の姿勢保持を行うことができ、取っ手４０を給水ホース９等に係止させることができる。なお、この締付具５０においても取っ手４０の長円孔４１の端部にピン５２が位置するようにＣ矢印方向に取っ手４０をスライドさせれば取っ手４０の端部が奥端壁部４９に干渉されず取っ手４０の長手方向を下方に向けることができるので、締付具５０のねじ込み作業の際には回転される取っ手４０が給水ホース９等に干渉されることなく作業を行うことができる。
【００２１】
また、このような締付具５０において、図５に示すように長円孔５４の内周面に凹凸を形成した取っ手５６を用いると、取っ手５６がその長円孔５４内の凹凸に係止されることにより、振動等によっても取っ手５６が容易にはスライドし難くすることができるので、給水栓本体２の取付後にも取っ手５６の姿勢保持をより確実に行うことができ好適である。
【００２２】
また、図６に示すように、長円孔４１内に挿通されるピン４４を、本体部３８と直角となる方向に２つ横架することとして、取っ手４０が常にほぼ水平に姿勢保持されるように構成しても良い。この場合に締付具３２のねじ込み作業の際には、取っ手４０が係止される給水ホース９等の側と反対側に取っ手４０を引き出して取っ手４０により締付具３２を回転させて、給水ホース９等により取っ手４０が係止されるまで回転された後には、取っ手４０をさらに反対側に取っ手４０を引き出して（Ｄ矢印方向）取っ手４０を回転させ、順次この作業を繰り返すことにより締付具３２を締め付ける。また、図７に示すように本体部３８と直角となる方向長い断面長円状のピン５８を長円孔４１内に挿通されるように設けても良い。
【００２３】
また、図８及び図９に示すような締付具５９を用いることとしても良い。この締付具５９は、溝６２を外周面に周設したナット６０と、このナット６０に装着されて給水ホース９等に係止される係止部材６４を備えている。係止部材６４は、係止突起６６をその外周面に突設した略円筒状に形成されており、その内周面は、ナット６０の周方向において嵌合するように、ナット６０の外周面同様に六角状に形成されている。また、係止部材６４の内周面には、図８及び図９に示すように、ナット６０の溝６２に係止される突条６８が形成されている。なお、突条６８に変えて複数箇所に突起を設けても良い（１箇所でも良いが複数箇所の方が好ましい。）。このようなナット６０をスパナなどを用いて上記実施の形態と同様にボルト６にねじ込み座金３４を締め付けた後に、係止部材６４をナット６０の下方からナット６０にはめ込む。上記したように、係止部材６４内周面の突条６８がナット６０外周面の溝６２に係止されるので係止部材６４はナット６０から脱落することはない。また、この際に係止突起６６が給水ホース９等に係止されるように係止部材６４の向きを定めてナット６０にはめ込むことにより、給水栓本体２の取付後においてもナット６０が緩むおそれはない。
なお、本実施の形態では、ナットに形成される凹部または凸部をナットの外周面に周設した溝６２として、係止部材６４の内周面に溝６２に係止される凸条あるいは凸条に変えて突起を設けた形態であるが、ナットに突起あるいは凸条を設けて係止部材の内周面に溝を設けた形態としても良い。また、ナットに突起を設け、係止部材にナットの突起が嵌る穴やスリットを設けた形態としても良い。
【００２４】
本発明は上記した実施の形態に限られることはなく、本発明の趣旨の範囲内で種々の変更が可能である。例えば、第１の実施の形態では、ホースが２本突設された湯水混合水栓の給水栓本体２に本発明を適用し、給水ホース９と給湯ホース１０との間に取っ手を挟み込むことにより取っ手を係止することとしているが、単水栓など、１つのホースだけが接続される給水栓についても適用することができる。この場合には、締付具を充分にねじ込んだ状態で、取っ手が締付具を緩める方向の側にホースが取っ手を係止するように取っ手の位置を定めると、締付具が充分にねじ込まれた状態を充分に保持でき、給水栓本体２の安定的な固定に好適である。また、締付具は、給水ホース９又は給湯ホース１０のみならず、給水サプライ管７や給湯サプライ管８などを含めて、広く「給水配管又は給湯配管」に係止されるものとしても良い。
【００２５】
【発明の効果】
本発明は上記のように締付具の回転を規制する係止部を備えているので、取付面に取付固定された給水栓本体が、取付後にも、ウォーターハンマや給水栓本体のハンドル操作による応力などの影響を受けず、確実に取付面に固定される。
【図面の簡単な説明】
【図１】本発明の水栓取付構造及び給水栓本体の斜視図である。
【図２】水栓取付構造の下部拡大縦断面図である。
【図３】別の方向から見た水栓取付構造の下部拡大縦断面図である。
【図４】別の水栓取付構造の下部拡大縦断面図である。
【図５】さらに別の水栓取付構造の下部拡大縦断面図である。
【図６】さらに別の水栓取付構造の下部拡大縦断面図である。
【図７】さらに別の水栓取付構造の下部拡大縦断面図である。
【図８】さらに別の水栓取付構造に用いる締付具の分解斜視図である。
【図９】図８の締付具の係止部材の縦断面図である。
【符号の説明】
１；湯水混合水栓、２；給水栓本体、３；吐水口、４；本体部、５；挿通部、６；ボルト、７；給水サプライ管、８；給湯サプライ管、９；給水ホース、１０；給湯ホース、３０；水栓取付構造、３２；締付具、３４；座金、３６；腕部、３８；本体部、４０；取っ手、４１；長円孔、４２；スリット、４４；ピン、４６；内壁面、４８；突起、４９；奥端壁部、５０；締付具、５２；ピン、５４；長円孔、５６；取っ手、５８；ピン、５９；締付具、６０；ナット、６２；溝、６４；係止部材、６６；係止突起、６８；突条６８。
【図１】
2004360182.tif 000003
【図２】
2004360182.tif 000004
【図３】
2004360182.tif 000005
【図４】
2004360182.tif 000006
【図５】
2004360182.tif 000007
【図６】
2004360182.tif 000008
【図７】
2004360182.tif 000009
【図８】
2004360182.tif 000010
【図９】
2004360182.tif 000011